(57)【特許請求の範囲】
【請求項１】
主幹電路に設けられ、前記主幹電路に流れる電流が予め設定された定格電流以上となったときに前記主幹電路を遮断する主幹ブレーカと、
前記主幹電路から分岐する複数の分岐電路のそれぞれに設けられ、前記分岐電路を流れる電流が予め設定された定格電流以上となったときに前記分岐電路を遮断する複数の分岐ブレーカと、
前記主幹ブレーカと前記複数の分岐ブレーカとを制御する端末装置と、を備え、
前記主幹ブレーカと前記複数の分岐ブレーカのそれぞれとを通信可能に構成すると共に、前記主幹ブレーカと前記端末装置とを通信可能に構成し、
前記端末装置は、前記複数の分岐ブレーカそれぞれの定格電流の設定値を入力する入力部を備え、前記入力部で入力された前記複数の分岐ブレーカの定格電流の設定値を前記主幹ブレーカに送信するように構成され、
前記主幹ブレーカは、受信した前記複数の分岐ブレーカの定格電流の設定値のそれぞれを、対応する前記分岐ブレーカに送信するように構成され、
前記複数の分岐ブレーカは、受信した定格電流の設定値を記憶し、対応する前記分岐電路を流れる電流が記憶した定格電流以上となったとき当該分岐電路を遮断するようにそれぞれ構成される、
分電盤システム。
【請求項２】
前記端末装置の前記入力部は、前記複数の分岐ブレーカそれぞれに対して、対応する前記分岐電路に流れる電流と当該電流を検出してから前記分岐電路を遮断するまでの動作時間との関係である電流−動作時間特性を入力可能に構成され、
前記端末装置は、入力された前記複数の分岐ブレーカの電流−動作時間特性を前記主幹ブレーカを介してあるいは直接前記複数の分岐ブレーカに送信するように構成され、
前記複数の分岐ブレーカは、受信した電流−動作時間特性を記憶し、対応する前記分岐電路を流れる電流が定格電流以上となったときに、当該電流で電流−動作時間特性を参照して動作時間を求め、当該電流の検出から動作時間後に前記分岐電路を遮断するようにそれぞれ構成される、
請求項１に記載の分電盤システム。
【請求項３】
前記端末装置の前記入力部は、前記複数の分岐ブレーカそれぞれに対して、定格電流の温度補正特性を入力可能に構成され、
前記端末装置は、入力された前記複数の分岐ブレーカの定格電流の温度補正特性を前記主幹ブレーカを介してあるいは直接前記複数の分岐ブレーカに送信するように構成され、
前記複数の分岐ブレーカは、受信した定格電流の温度補正特性を記憶し、記憶した定格電流の温度補正特性により補正した定格電流を用いて、前記分岐電路の遮断制御を行うようにそれぞれ構成される、
請求項１又は２に記載の分電盤システム。
【請求項４】
前記端末装置と前記主幹ブレーカとは、無線通信により通信を行うように構成される、
請求項１乃至３の何れか１項に記載の分電盤システム。
【請求項５】
前記主幹ブレーカと前記複数の分岐ブレーカのそれぞれとは、無線通信により通信を行うように構成される、
請求項１乃至４の何れか１項に記載の分電盤システム。
【請求項６】
前記主幹ブレーカは、前記複数の分岐ブレーカの定格電流の設定値を記憶し前記端末装置に送信可能に構成され、
前記端末装置は、受信した前記複数の分岐ブレーカの定格電流の設定値を表示する表示器を備える、
請求項１乃至５の何れか１項に記載の分電盤システム。
【請求項７】
前記端末装置と前記複数の分岐ブレーカとを、前記主幹ブレーカを介さずに直接通信可能に構成し、
前記複数の分岐ブレーカは、前記端末装置から受信した定格電流の設定値を記憶し、対応する前記分岐電路を流れる電流が記憶した定格電流以上となったとき当該分岐電路を遮断するようにそれぞれ構成される、
請求項１乃至６の何れか１項に記載の分電盤システム。
【請求項８】
前記複数の分岐ブレーカは、対応する前記分岐電路を流れる電流の値を前記主幹ブレーカに送信するように構成され、
前記主幹ブレーカは、受信した電流の値を基に、前記複数の分岐ブレーカの定格電流の設定値を自動更新し、当該自動更新した定格電流の設定値を前記複数の分岐ブレーカに送信するように構成される、
請求項１乃至７の何れか１項に記載の分電盤システム。
【発明の詳細な説明】
【技術分野】
【０００１】
本発明は、分電盤システムに関する。
【背景技術】
【０００２】
主幹電路に設けられ、主幹電路に流れる電流が予め設定された定格電流以上となったときに主幹電路を遮断する主幹ブレーカと、主幹電路から分岐する複数の分岐電路のそれぞれに設けられ、分岐電路を流れる電流が予め設定された定格電流以上となったときに分岐電路を遮断する複数の分岐ブレーカと、を備えた分電盤システムが知られている。
【０００３】
家庭用の分電盤システムに用いられる分岐ブレーカとしては、定格電流の値が予め設定され、熱式及び電磁式の遮断回路を備えた小型のブレーカが広く用いられている。しかしながら、このような分岐ブレーカを用いた場合、例えば新たな家電製品を設置するなどして定格電流を変更する必要が生じた場合に、定格電流の異なる分岐ブレーカに取り換える工事を行う必要が生じ、定格電流の変更に手間がかかってしまう。また、分岐ブレーカを取り換える工事業者においても、定格電流の異なる種々の分岐ブレーカを用意しておく必要があり、無駄が多い。
【０００４】
そこで、分岐ブレーカとして定格電流の書き換えが可能なものを用い、定格電流が異なる場合でも共通の分岐ブレーカを使用可能とした分電盤システムが提案されている。これにより、定格電流の変更の作業を容易とすることができ、工事業者が多種のブレーカを用意しておく必要もなくなる。
【０００５】
分岐ブレーカの定格電流を書き換える方法として、各分岐ブレーカの定格電流の書き換えを外部から無線にて行う方法が提案されている（例えば、特許文献１，２参照）。
【先行技術文献】
【特許文献】
【０００６】
【特許文献１】特許第４９９０５８９号公報
【特許文献２】特開２０１４−１８３６３７号公報
【発明の概要】
【発明が解決しようとする課題】
【０００７】
しかしながら、従来方法では、個々の分岐ブレーカに対してそれぞれ定格電流の設定を行う必要があるため、多数の分岐ブレーカの定格電流の設定を一括して行う場合に、設定作業に手間がかかり、作業性の観点から改善の余地があった。
【０００８】
そこで、本発明は、定格電流の設定作業が容易な分電盤システムを提供することを目的とする。
【課題を解決するための手段】
【０００９】
本発明は、上記課題を解決することを目的として、主幹電路に設けられ、前記主幹電路に流れる電流が予め設定された定格電流以上となったときに前記主幹電路を遮断する主幹ブレーカと、前記主幹電路から分岐する複数の分岐電路のそれぞれに設けられ、前記分岐電路を流れる電流が予め設定された定格電流以上となったときに前記分岐電路を遮断する複数の分岐ブレーカと、前記主幹ブレーカと前記複数の分岐ブレーカとを制御する端末装置と、を備え、前記主幹ブレーカと前記複数の分岐ブレーカのそれぞれとを通信可能に構成すると共に、前記主幹ブレーカと前記端末装置とを通信可能に構成し、前記端末装置は、前記複数の分岐ブレーカそれぞれの定格電流の設定値を入力する入力部を備え、前記入力部で入力された前記複数の分岐ブレーカの定格電流の設定値を前記主幹ブレーカに送信するように構成され、前記主幹ブレーカは、受信した前記複数の分岐ブレーカの定格電流の設定値のそれぞれを、対応する前記分岐ブレーカに送信するように構成され、前記複数の分岐ブレーカは、受信した定格電流の設定値を記憶し、対応する前記分岐電路を流れる電流が記憶した定格電流以上となったとき当該分岐電路を遮断するようにそれぞれ構成される、分電盤システムを提供する。
【発明の効果】
【００１０】
本発明によれば、定格電流の設定作業が容易な分電盤システムを提供できる。
【図面の簡単な説明】
【００１１】
【図１】本発明の一実施の形態に係る分電盤システムの概略構成図である。
【図２】端末装置の入力画面の一例を示す図である。
【図３】主幹ブレーカのブロック図である。
【図４】分岐ブレーカのブロック図である。
【図５】電流−動作時間特性の一例を示すグラフ図である。
【図６】定格電流の温度補正特性の一例を示すグラフ図である。
【発明を実施するための形態】
【００１２】
［実施の形態］
以下、本発明の実施の形態を、図面を参照して説明する。
【００１３】
図１は、本実施の形態に係る分電盤システムの概略構成図である。
【００１４】
図１に示すように、分電盤システム１は、主幹ブレーカ２と、複数の分岐ブレーカ３と、端末装置４と、を主に備えている。ここでは、４つの分岐ブレーカ３を備える場合を示しているが、分岐ブレーカ３の数はこれに限定されるものではない。また、図１では、図示の簡略化のため、１つの分岐ブレーカ３のみ内部構成を示しているが、各分岐ブレーカ３は同じ構成である。
【００１５】
主幹ブレーカ２は、主幹電路５に設けられ、主幹電路５に流れる電流が予め設定された定格電流以上となったときに主幹電路５を遮断するものであり、主幹電路５を遮断するための主幹側遮断回路２ａを有している。
【００１６】
分岐ブレーカ３は、主幹電路５から分岐する複数の分岐電路６のそれぞれに設けられ、分岐電路６を流れる電流が予め設定された定格電流以上となったときに分岐電路６を遮断するものであり、分岐電路６を遮断するための分岐側遮断回路３ａを有している。
【００１７】
遮断回路２ａ，３ａの具体的な構成は特に限定するものではないが、例えば、ソレノイドコイルに電流を流した際の磁力を利用して対応する電路５，６の接点を開く電磁式のものを用いることができる。
【００１８】
端末装置４は、主幹ブレーカ２と複数の分岐ブレーカ３とを制御および管理するためのものであり、例えば、スマートフォン等の携帯端末や、パーソナルコンピュータから構成される。
【００１９】
分電盤システム１では、少なくとも、主幹ブレーカ２と複数の分岐ブレーカ３のそれぞれとが通信可能に構成され、かつ、主幹ブレーカ２と端末装置４とが通信可能に構成されている。本実施の形態では、主幹ブレーカ２に主幹側通信部２ｂ、各分岐ブレーカ３に分岐側通信部３ｂ、端末装置４に端末側通信部４ａをそれぞれ搭載し、これら主幹ブレーカ２と各分岐ブレーカ３と端末装置４との間で、相互に通信可能に分電盤システム１を構成した。
【００２０】
本実施の形態では、端末装置４と主幹ブレーカ２及び各分岐ブレーカ３とは、無線通信により通信を行うように構成されている。無線通信に用いる通信方式は特に限定するものではないが、例えば、ＩＥＥＥ８０２．１５．１（ブルートゥース（登録商標））に準拠した近距離無線通信方式を用いることができる。
【００２１】
さらに、本実施の形態では、主幹ブレーカ２と各分岐ブレーカ３とは、無線通信により通信を行うように構成されている。主幹ブレーカ２と各分岐ブレーカ３とを電力線通信により通信を行うように構成してもよいが、この場合、通信部２ｂ，３ｂが大型化してしまい、かつ、端末装置４と無線通信を行う機構を別途設ける必要が生じる。本実施の形態では、主幹ブレーカ２と各分岐ブレーカ３とを無線通信により通信を行うように構成することで、通信部２ｂ，３ｂの小型化を図り、かつ、共通の通信部２ｂ，３ｂを用いて端末装置４と通信できるように構成しており、これにより主幹ブレーカ２と各分岐ブレーカ３の小型化を可能としている。
【００２２】
さて、本実施の形態に係る分電盤システム１では、端末装置４から各分岐ブレーカ３の定格電流を一括して設定（あるいは書き換え）可能に構成されている。以下、この点について詳細に説明する。
【００２３】
（端末装置４の構成）
端末装置４は、各分岐ブレーカ３の定格電流の設定値を入力する入力部４ｂを備え、入力部４ｂで入力された各分岐ブレーカ３の定格電流の設定値を端末側通信部４ａを介して主幹ブレーカ２に送信するように構成されている。
【００２４】
また、端末装置４は、入力部４ｂで入力された各分岐ブレーカ３の定格電流の設定値を記憶する端末側記憶部４ｃと、モニタ等の表示器４ｄと、通信制御や表示器４ｄの表示制御等を行う端末側制御部４ｅと、を備えている。
【００２５】
本実施の形態では、入力部４ｂにグラフィカルインターフェイス（ＧＵＩ）を用い、主幹ブレーカ２と各分岐ブレーカ３の配置と定格電流の設定値を入力画面としてグラフィカルに表示器４ｄに示し、各分岐ブレーカ３の定格電流の設定値を表示器４ｄを参照しつつ変更できるように入力部４ｂを構成した。端末装置４をスマートフォンで構成した場合の入力画面の一例を図２に示す。
【００２６】
なお、図２に示すように、端末装置４をタッチパネル式のモニタ２０を有するスマートフォンで構成する場合、当該モニタ２０が入力部４ｂと表示器４ｄとを兼ねることになる。この例では、各分岐ブレーカ３の定格電流の設定値の変更を行うと、各分岐ブレーカ３の定格電流の設定値が端末側記憶部４ｃに記憶され、その後表示器４ｄに表示されている送信ボタン２１をタッチすることで、端末側制御部４ｅが、端末側記憶部４ｃに記憶された各分岐ブレーカ３の定格電流の設定値を、端末側通信部４ａを介して主幹ブレーカ２に一括して送信するように構成している。
【００２７】
その後、主幹ブレーカ２から各分岐ブレーカ３の定格電流の設定が成功あるいは失敗した（エラーが発生した）という通知を受信すると、端末側制御部４ｅがその旨を表示器４ｄに表示し、各分岐ブレーカ３の定格電流の設定が終了する。なお、主幹ブレーカ２から所定時間上述の通知が受信されない場合には、端末側制御部４ｅは、エラーが発生したことを表示器４ｄに表示する。
【００２８】
なお、主幹ブレーカ２からエラーが発生した通知を受信した場合、および主幹ブレーカ２から所定時間上述の通知が受信されない場合には、定格電流の設定値の送信を自動で繰り返す（リトライする）ように端末側制御部４ｅを構成してもよい。この場合、定格電流の設定が成功するまで、予め設定された最大リトライ回数まで定格電流の設定値の送信を自動で繰り返すようにし、最大リトライ回数まで送信を繰り返してもエラーが発生した場合には、エラーが発生したことを表示器４ｄに表示するように端末側制御部４ｅを構成してもよい。
【００２９】
また、エラーが発生したブレーカ２，３を表示器４ｄに表示するように端末側制御部４ｅを構成してもよい。例えば、主幹ブレーカ２から所定時間上述の通知が受信されない場合には、主幹ブレーカ２でエラーが発生したことを表示器４ｄに表示し、主幹ブレーカ２からエラーが発生した通知を受信した場合には、例えば主幹ブレーカ２から受信したエラーが発生した分岐ブレーカ３のＩＤ等を基に、エラーが発生した分岐ブレーカ３を特定して表示器４ｄに表示するように端末側制御部４ｅを構成してもよい。
【００３０】
また、この例では、表示器４ｄに表示されている更新ボタン２２をタッチすることで、端末側制御部４ｅが、主幹ブレーカ２に各分岐ブレーカ３の現在の定格電流の設定値を要求する信号を送信し、その後主幹ブレーカ２から受信した各分岐ブレーカ３の現在の定格電流の設定値を表示器４ｄに表示するように端末装置４を構成している。つまり、図２の入力画面は、各分岐ブレーカ３の現在の定格電流の設定値を確認する役割を兼ねている。
【００３１】
なお、図２に示した入力画面のレイアウトや表示内容はあくまで一例であり、適宜変更可能である。例えば、端末側制御部４ｅを、主幹ブレーカ２に各分岐ブレーカ３の現在の定格電流の設定値を要求する信号を所定の時間間隔で送信し、常に各分岐ブレーカ３の定格電流の設定値の最新情報を表示器４ｄに表示するように構成することで、更新ボタン２２を省略することも可能である。
【００３２】
（主幹ブレーカ２の構成）
主幹ブレーカ２は、端末装置４から送信され主幹側通信部２ａを介して受信された各分岐ブレーカ３の定格電流の設定値のそれぞれを、対応する分岐ブレーカ３に送信するように構成されている。
【００３３】
図１及び図３に示すように、主幹ブレーカ２は、主幹ブレーカ２及び各分岐ブレーカ３の定格電流の設定値を記憶する主幹側記憶部２ｃと、通信制御や主幹側遮断回路２ａの制御等を行う主幹側制御部２ｄと、主幹電路５を流れる電流を検出する主幹側電流検出部２ｅと、を有している。
【００３４】
主幹側制御部２ｄは、端末装置４から送信された各分岐ブレーカ３の定格電流の設定値を受信したとき、当該各分岐ブレーカ３の定格電流の設定値を主幹側記憶部２ｃに記憶させた後、分岐ブレーカ３のそれぞれに主幹側通信部２ａを介して定格電流の設定値を送信するように構成される。
【００３５】
主幹側制御部２ｄは、分岐ブレーカ３のそれぞれに主幹側通信部２ａを介して定格電流の設定値を送信後、各分岐ブレーカ３から定格電流の設定が成功あるいは失敗した（エラーが発生した）という通知を受信すると、当該通知を一括して端末装置４に送信する。なお、任意の分岐ブレーカ３から所定時間上述の通知が受信されない場合には、当該分岐ブレーカ３についてはエラーが発生したという通知を送信する。また、主幹側制御部２ｄは、エラーが発生したという通知と共に、当該エラーが発生した分岐ブレーカ３のＩＤ等を端末装置４に送信し、端末装置４にてエラーが発生した分岐ブレーカ３を特定できるようにしてもよい。
【００３６】
また、主幹側制御部２ｄは、主幹側電流検出部２ｅで検出した主幹電路５を流れる電流が主幹側記憶部２ｃに記憶している主幹ブレーカ２の定格電流の設定値以上となったとき、主幹側遮断回路２ａを制御して主幹電路５を遮断するように構成される。
【００３７】
主幹側電流検出部２ｅの具体的な構成は特に限定するものではないが、例えば、変流器（ＣＴ）やホール素子等の磁電変換素子を用いた電流検出回路を用いることができる。また、主幹側電流検出部２ｅは、主幹ブレーカ２に内蔵されていなくともよい。
【００３８】
また、本実施の形態では、主幹側制御部２ｄは、端末装置４から送信された各分岐ブレーカ３の現在の定格電流の設定値を要求する信号を受信したとき、主幹側記憶部２ｃに記憶している各分岐ブレーカ３の定格電流の設定値を一括して端末装置４に送信するように構成されている。なお、これに限らず、各分岐ブレーカ３の現在の定格電流の設定値を要求する信号を受信したときに、各分岐ブレーカ３と通信して各分岐ブレーカ３の現在の定格電流の設定値を取得した後に、取得した各分岐ブレーカ３の定格電流の設定値を一括して端末装置４に送信するように主幹側制御部２ｄを構成しても構わない。
【００３９】
（分岐ブレーカ３の構成）
各分岐ブレーカ３は、主幹ブレーカ２から送信され分岐側通信部３ｂを介して受信した定格電流の設定値を記憶し、対応する分岐電路６を流れる電流が記憶した定格電流以上となったとき当該分岐電路６を遮断するようにそれぞれ構成される。
【００４０】
図１及び図４に示すように、各分岐ブレーカ３は、定格電流の設定値を記憶する分岐側記憶部３ｃと、通信制御や分岐側遮断回路３ａの制御等を行う分岐側制御部３ｄと、対応する分岐電路６を流れる電流を検出する分岐側電流検出部３ｅと、をそれぞれ有している。
【００４１】
分岐側制御部３ｄは、主幹ブレーカ２から送信された定格電流の設定値を受信したとき、当該定格電流の設定値を分岐側記憶部３ｃに記憶させるように構成される。すなわち、分岐側制御部３ｄは、主幹ブレーカ２から送信された定格電流の設定値を受信したとき、定格電流の設定値を受信した設定値に更新する（書き換える）ように構成される。
【００４２】
分岐側制御部３ｄは、受信した定格電流の設定値の分岐側記憶部３ｃへの記憶（書き換え）が成功したとき、定格電流の設定が成功したという通知を主幹ブレーカ２に送信するように構成される。分岐側制御部３ｄは、受信した定格電流の設定値の分岐側記憶部３ｃへの記憶（書き換え）が何らかの理由で失敗したとき、定格電流の設定が失敗した（エラーが発生した）という通知を主幹ブレーカ２に送信するように構成される。
【００４３】
また、分岐側制御部３ｄは、分岐側電流検出部３ｅで検出した分岐電路６を流れる電流が分岐側記憶部３ｃに記憶されている定格電流の設定値以上となったとき、分岐側遮断回路３ａを制御して分岐電路６を遮断するように構成される。
【００４４】
分岐側電流検出部３ｅの具体的な構成は特に限定するものではないが、例えば、変流器（ＣＴ）やホール素子等の磁電変換素子を用いた電流検出回路を用いることができる。また、分岐側電流検出部３ｅは、分岐ブレーカ３に内蔵されていなくともよい。
【００４５】
なお、変流器（ＣＴ）を用いる場合には既存の分岐ブレーカから取り換える際に別途変流器（ＣＴ）を取り付けるための工事が必要になるが、分岐側電流検出部３ｅとしてホール素子等の磁電変換素子を用いた内蔵型の電流検出回路を用いる場合には、このような工事は不要になり、既存の分岐ブレーカからの取り換えが容易になる。
【００４６】
（各分岐ブレーカ３の電流−動作時間特性と定格電流の温度補正特性について）
本実施の形態では、各分岐ブレーカ３の定格電流だけでなく、各分岐ブレーカ３の電流−動作時間特性と定格電流の温度補正特性についても、端末装置４から一括して設定可能に構成されている。
【００４７】
ここで、電流−動作時間特性とは、例えば図５に示すように、分岐電路６に流れる電流と当該電流を検出してから分岐電路６を遮断するまでの動作時間との関係を表すものである。図５では、一例として、検出した電流毎に動作時間の最少時間Ａと最大時間Ｂが設定された電流−動作時間特性を示しており、図５にハッチングした動作時間内、すなわち最少時間Ａ以上最大時間Ｂ以下の時間内に分岐電路６を遮断する必要があることを示している。なお、図５では、縦軸は動作時間を対数で示し、横軸は検出した電流の定格電流に対する割合（％）を対数で示している。
【００４８】
また、定格電流の温度補正特性とは、例えば図６に示すように、周囲温度に対する定格電流補正率の関係を表すものである。定格電流の温度補正特性により求めた定格電流補正率を定格電流の設定値に掛け合わせることで、定格電流の温度補正が行われる。
【００４９】
本実施の形態では、端末装置４の入力部４ｂは、各分岐ブレーカ３に対して電流−動作時間特性と定格電流の温度補正特性とを入力可能に構成される。このとき、予め端末装置４の端末側記憶部４ｃに複数の電流−動作時間特性と定格電流の温度補正特性のパターンを記憶させておき、いずれのパターンを使用するかを選択するように入力部４ｂを構成してもよい。端末装置４の端末側制御部４ｅは、入力された各分岐ブレーカ３の電流−動作時間特性や定格電流の温度補正特性を一括して主幹ブレーカ２に送信するように構成される。
【００５０】
主幹ブレーカ２の主幹側制御部２ｄは、端末装置４から各分岐ブレーカ３の電流−動作時間特性や定格電流の温度補正特性を受信したとき、受信した各分岐ブレーカ３の電流−動作時間特性や定格電流の温度補正特性のそれぞれを、対応する分岐ブレーカ３に送信するように構成される。
【００５１】
各分岐ブレーカ３は、主幹ブレーカ２から電流−動作時間特性や定格電流の温度補正特性を受信したとき、受信した電流−動作時間特性や定格電流の温度補正特性を分岐側記憶部３ｃに記憶する。
【００５２】
各分岐ブレーカ３の分岐側制御部３ｄは、対応する分岐電路６を流れる電流が定格電流以上となったときに、当該電流で分岐側記憶部３ｃに記憶した電流−動作時間特性を参照して動作時間（最少時間Ａと最大時間Ｂ）を求め、当該電流の検出から動作時間後（最少時間Ａ以上最大時間Ｂ以下の時間内）に分岐電路６を遮断するようにそれぞれ構成される。
【００５３】
また、各分岐ブレーカ３の分岐側制御部３ｄは、周囲温度で分岐側記憶部３ｃに記憶した定格電流の温度補正特性を参照して定格電流補正率を求め、当該定格電流補正率を分岐側記憶部３ｃに記憶した定格電流の設定値に掛け合わせることにより定格電流の温度補正を行い、補正した定格電流を用いて分岐電路６の遮断制御を行うようにそれぞれ構成される。
【００５４】
周囲温度を検出する手段は特に限定するものではないが、例えば、各分岐ブレーカ３に個別に温度センサを設けてもよいし、共通の温度センサを主幹ブレーカ２に備え、温度センサの検出値を主幹ブレーカ２から各分岐ブレーカ３に送信するように構成してもよい。
【００５５】
なお、予め端末装置４の端末側記憶部４ｃに複数の電流−動作時間特性と定格電流の温度補正特性のパターンを記憶させておき、いずれのパターンを使用するかを選択するように入力部４ｂを構成する場合には、各分岐ブレーカ３の分岐側記憶部３ｃにも予め複数の電流−動作時間特性と定格電流の温度補正特性のパターンを記憶させておき、どのパターンを使用するかという情報のみを端末装置４から分岐ブレーカ３に送信するように構成してもよい。
【００５６】
（変形例）
本実施の形態では、入力部４ｂにて入力した定格電流の設定値、電流−動作時間特性、および定格電流の温度補正特性を、端末装置４から主幹ブレーカ２を介して各分岐ブレーカ３に送信する場合を説明したが、端末装置４と各分岐ブレーカ３とを主幹ブレーカ２を介さずに直接通信可能に構成し、端末装置４から各分岐ブレーカ３に直接定格電流の設定値、電流−動作時間特性、および定格電流の温度補正特性を送信可能に構成しても構わない。つまり、端末装置４から各分岐ブレーカ３に対して、個別に定格電流の設定等を行えるように構成しても構わない。
【００５７】
また、本実施の形態では、主幹ブレーカ２と分岐ブレーカ３とを通信可能に構成しているため、これを利用し、各分岐電路６に流れる電流（消費電力）を監視する機能を主幹ブレーカ２に備えることも可能である。この場合、各分岐ブレーカ３の分岐側制御部３ｄは、分岐側電流検出部３ｅで検出した電流の値を逐次主幹ブレーカ２に送信するように構成される。
【００５８】
さらに、主幹ブレーカ２は、各分岐ブレーカ３から受信した電流の値を基に、複数の分岐ブレーカ３の定格電流の設定値を自動更新し、当該自動更新した定格電流の設定値を各分岐ブレーカ３に送信するように構成されてもよい。この際、主幹ブレーカ２は、各分岐ブレーカ３の定格電流の設定値が主幹ブレーカ２に設定された定格電流以上とならないように、各分岐電路６における電力の使用状況に応じて各分岐ブレーカ３の定格電流の設定値を自動変更するように構成される。これにより、各分岐電路６に接続される電気機器等に応じて各分岐ブレーカ３の定格電流の設定値が柔軟に設定されることになり、新たな電気機器の使用を開始する際等に定格電流の設定値を変更する作業が不要になる。
【００５９】
また、分岐側電流検出部３ｅで検出した電流の値を各分岐ブレーカ３から端末装置４、あるいは専用の装置に送信し、端末装置４や専用の装置にて、消費電力の確認や分析を行えるようにしても構わない。この際、分電盤システム１にインターネット通信を行う通信ユニットを別途設置し、当該通信ユニットからインターネットを介して所定のサーバに各分岐ブレーカ３で検出した電流の値をアップロードするように構成し、パーソナルコンピュータ等によりインターネットを介して上述のサーバにアクセスすることで、消費電力の確認や分析を行えるように構成しても構わない。
【００６０】
また、本実施の形態では、分電盤システム１に備えられる分岐ブレーカ３の全てが、定格電流の書き換え可能に構成されている場合を説明したが、定格電流の書き換えができない既存の分岐ブレーカを含んでいてもよい。
【００６１】
さらに、本実施の形態では、分岐ブレーカ３の定格電流の設定値、電流−動作時間特性、および定格電流の温度補正特性を設定する場合について説明したが、主幹ブレーカ２についても、定格電流の設定値、電流−動作時間特性、および定格電流の温度補正特性を設定可能に構成してもよい。
【００６２】
（実施の形態の作用及び効果）
以上説明したように、本実施の形態に係る分電盤システム１では、主幹ブレーカ２と複数の分岐ブレーカ３のそれぞれとを通信可能に構成すると共に、主幹ブレーカ２と端末装置４とを通信可能に構成し、端末装置４は、複数の分岐ブレーカ３それぞれの定格電流の設定値を入力する入力部４ｂを備え、入力部４ｂで入力された複数の分岐ブレーカ３の定格電流の設定値を主幹ブレーカ２に送信するように構成され、主幹ブレーカ２は、受信した複数の分岐ブレーカ３の定格電流の設定値のそれぞれを、対応する分岐ブレーカ３に送信するように構成され、複数の分岐ブレーカ３は、受信した定格電流の設定値を記憶し、対応する分岐電路６を流れる電流が記憶した定格電流以上となったとき当該分岐電路６を遮断するようにそれぞれ構成されている。
【００６３】
このように構成することで、複数の分岐ブレーカ３の定格電流の設定を一括して行うことが可能になり、特に多数の分岐ブレーカの定格電流の設定を行う場合に、定格電流の設定作業が容易になる。
【００６４】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００６５】
また、本発明は、その趣旨を逸脱しない範囲で適宜変形して実施することが可能である。
【符号の説明】
【００６６】
１…分電盤システム、２…主幹ブレーカ、２ａ…主幹側遮断回路、２ｂ…主幹側通信部、２ｃ…主幹側記憶部、２ｄ…主幹側制御部、２ｅ…主幹側電流検出部、３…分岐ブレーカ、３ａ…分岐側遮断回路、３ｂ…分岐側通信部、３ｃ…分岐側記憶部、３ｄ…分岐側制御部、３ｅ…分岐側電流検出部、４…端末装置、４ａ…端末側通信部、４ｂ…入力部、４ｃ…端末側記憶部、４ｄ…表示器、４ｅ…端末側制御部、５…主幹電路、６…分岐電路、２０…モニタ、２１…送信ボタン、２２…更新ボタン
【要約】
【課題】定格電流の設定作業が容易な分電盤システムを提供する。
【解決手段】主幹ブレーカ２と複数の分岐ブレーカ３とを制御する端末装置４を備え、主幹ブレーカ２と複数の分岐ブレーカ３のそれぞれとを通信可能に構成すると共に、主幹ブレーカ２と端末装置４とを通信可能に構成し、端末装置４は、複数の分岐ブレーカ３それぞれの定格電流の設定値を入力する入力部４ｂを備え、入力部４ｂで入力された複数の分岐ブレーカ３の定格電流の設定値を主幹ブレーカ２に送信するように構成され、主幹ブレーカ２は、受信した複数の分岐ブレーカ３の定格電流の設定値のそれぞれを、対応する分岐ブレーカ３に送信するように構成され、複数の分岐ブレーカ３は、受信した定格電流の設定値を記憶し、対応する分岐電路６を流れる電流が記憶した定格電流以上となったとき当該分岐電路６を遮断するようにそれぞれ構成される。
【選択図】図１【図１】
0005890564.tif 000002
【図２】
0005890564.tif 000003
【図３】
0005890564.tif 000004
【図４】
0005890564.tif 000005
【図５】
0005890564.tif 000006
【図６】
0005890564.tif 000007